(57)【要約】【課題】  アームチューブから薬液などを加圧注入する場合に、ハウジングの外部に漏出することなく、容易にかつ迅速に注入作業を行なうことができ、しかもコスト的にも有利なイントロデューサシースを提供する。【解決手段】  ハウジング２、ハウジング２の一端部に内部空間３と連通するように設けられた細い管状のシース４、及び、ハウジング２の他端部に内部空間３を閉塞するように設けられかつ細い管体が挿通し得るスリット１０が形成された弁体７を有するシース部Ｓと、内部空間３と連通するように設けられたアームチューブＴと、を有するイントロデューサシース１であって、ハウジング２の他端部に、内部空間３を密塞する耐圧キャップ２０を脱着可能に設けたことを特徴とする。【選択図】            図１
2007089605.tif 000002
【特許請求の範囲】
【請求項１】
ハウジング、当該ハウジングの一端部に内部空間と連通するように設けられた細い管状のシース、及び、前記ハウジングの他端部に前記内部空間を閉塞するように設けられかつ細い管体が挿通し得るスリットが形成された弁体を有するシース部と、前記内部空間と連通するように設けられたアームチューブと、を有するイントロデューサシースであって、前記ハウジングの他端部に、前記内部空間を密塞する耐圧キャップを脱着可能に設けたことを特徴とするイントロデューサシース。
【請求項２】
前記アームチューブは、内部を流通する流体の圧力に対抗する補強体を設けたことを特徴とする請求項１に記載のイントロデューサシース。
【請求項３】
前記補強体は、薄板若しくは線材により構成したことを特徴とする請求項２に記載のイントロデューサシース。
【請求項４】
前記アームチューブは、内径が１．２ｍｍ〜６ｍｍの範囲であることを特徴とする請求項１又は２に記載のイントロデューサシース。
【請求項５】
前記アームチューブが連設される前記ハウジングに設けられた接続部は、内径が０．８ｍｍ〜５ｍｍの範囲であることを特徴とする請求項１に記載のイントロデューサシース。
【発明の詳細な説明】
【技術分野】
【０００１】
本発明は、カテーテルを血管等の内部に導入するために用いられるイントロデューサシースに関する。
【背景技術】
【０００２】
血管等の生体内にカテーテルを導入するために用いられる医療用器具として、従来からイントロデューサシースが用いられている。この器具は、下記特許文献１あるいは特許文献２に開示されているように、主としてシース部とダイレータ部とを有している。
【０００３】
シース部は、円筒状のハウジング（通常シースハブと称されている）と、当該ハウジングの一端部に内部空間と連通するように設けられた細い管状のシースと、このシースを前記ハウジングに取り付ける支持体とから構成されている。
【０００４】
ダイレータ部は、ダイレータハブと、このダイレータハブの先端に設けられ、前記シース内に挿入される管状のダイレータと、から構成されている。
【０００５】
イントロデューサシースを使用する場合には、まず、血管内に経皮的に挿入された留置針をガイドとしてミニガイドワイヤーを血管内に挿入し、留置針を抜去した後、ミニガイドワイヤーをガイドとしてイントロデューサシースを血管に挿入する。そして、ダイレータ部をミニガイドワイヤーと共にシース部のハウジングから取り外した後、前記ハウジングからガイドワイヤーを挿入し、ガイドワイヤーに沿ってカテーテルを挿入する。そして、このカテーテルを目的とする部位に挿入した後、所定の薬液を注入するなど、目的とする治療を施すことになる。
【０００６】
しかし、カテーテルが血管内まで挿通されると、ハウジング内まで血液あるいは薬剤などが漏出する虞があるので、前記ハウジングの端部には、弁体が設けられ、ハウジングとカテーテルやダイレータとの間をシールしている。
【０００７】
また、前記ハウジングの側部には、接続部が突設されており、ここにアームチューブが連結されている。このアームチューブは、外部からハウジングの内部空間に洗浄用の生理食塩水や、シース内やカテーテルとの境界などでの血栓の発生を防止するヘパリン生理食塩水や、場合によっては、血管造影剤など（以下、薬液など）を供給するものである。
【特許文献１】特開平８−１３１５５２号公報（要約、段落番号「００２５」及び図１参照）
【特許文献２】実開平５−６２２６４号公報（要約、図１参照）
【発明の開示】
【発明が解決しようとする課題】
【０００８】
しかし、前記イントロデューサシースの弁体は、シリコンゴムなどの弾性体により構成されているが、各端面では重ならない位置で十字状に切り込まれ、かつ内部で交差するスリットが形成され、このスリットを挿通して前記カテーテルやダイレータが挿通されると、僅かな隙間が生じる虞があり、シール性は完全ではない。特に、アームチューブから薬液などを加圧注入すると、弁体のスリットや、スリットとカテーテルとの間に生じる僅かな隙間から薬液などが漏出する虞がある。
【０００９】
このため、アームチューブから薬液などを加圧注入する場合には、血液や薬液などの漏出が生じないように注入圧に注意し、注入圧が不必要に高くならないようにして注入作業を行なっている。このような注入作業では、作業が面倒になり、迅速に治療を施すことも不可能となる。また、この注入作業を、制御装置を使用して制御された圧力下で行なうと、設備コストが高くなるという不具合もある。
【００１０】
本発明は、上述した課題を解決するためになされたもので、アームチューブから薬液などを加圧注入する場合に、ハウジングの外部に漏出することなく、容易にかつ迅速に注入作業を行なうことができ、しかもコスト的にも有利なイントロデューサシースを提供することを目的とする。
【課題を解決するための手段】
【００１１】
上記目的を達成する本発明のイントロデューサシースは、ハウジング、当該ハウジングの一端部に内部空間と連通するように設けられた細い管状のシース、及び、前記ハウジングの他端部に前記内部空間を閉塞するように設けられかつ細い管体が挿通し得るスリットが形成された弁体を有するシース部と、前記内部空間と連通するように設けられたアームチューブと、を有するイントロデューサシースであって、前記ハウジングの他端部に、前記内部空間を密塞する耐圧キャップを脱着可能に設けたことを特徴とする。
【発明の効果】
【００１２】
請求項１の発明は、ハウジングに、内部空間を密塞する耐圧キャップを脱着可能に設けたので、高圧で薬液などの注入作業を行なっても、ハウジングの外部に薬液などが漏出することはなく、容易にかつ迅速に作業を行なうことができる。しかも、この注入作業を行なう場合、注入圧を制御する制御装置を使用する必要もなく、器具の構成も簡単なことから、コスト的にも有利となる。
【００１３】
請求項２，３の発明は、アームチューブに補強体を設けたので、薬液などを相当高圧で注入することができ、注入作業を極めて迅速に行なうことができる。
【００１４】
請求項４，５の発明は、アームチューブの内径を１．２ｍｍ〜６ｍｍの範囲あるいは接続部の内径を０．８ｍｍ〜５ｍｍの範囲とすれば、イントロデューサシースの挿入性を損なうことなくかつより多量の薬液などを迅速に注入することができる。
【発明を実施するための最良の形態】
【００１５】
以下、図面を参照して、本発明の実施の形態を詳細に説明する。
【００１６】
図１は本発明の実施形態に係るイントロデューサシースを示す概略分解断面図、図２は耐圧用キャップを取り付けた状態を示す図１の要部拡大断面図、図３は弁体部分を示す正面図である。
【００１７】
本実施形態のイントロデューサシース１は、図１，２に示すように、シース部Ｓと、アームチューブＴと、を有している。
【００１８】
シース部Ｓは、円筒状のハウジング２と、ハウジング２の一端部に内部空間３と連通するように設けられたシース４と、シース４とハウジング２とを連結する支持体５と、ハウジング２の他端部位に内部空間３を閉塞するように設けられた弁体７とを有している。
【００１９】
シース４は、生体に挿入される細い管であるが、その先端部は、血管挿入時の抵抗が小さくなるように、テーパ状に縮径することが好ましく、また、血管に挿入し得る程度の剛性があり、内部のルーメンも大きいことが好ましい。例えば、シース４の内径は１ｍｍ〜１０ｍｍ、外径は１．２ｍｍ〜１１ｍｍ、肉厚は０．１ｍｍ〜０．５ｍｍ程度とし、材質としては、生体適合性に優れた、ＥＴＦＥ、ＰＴＦＥ等のフッ素樹脂、ＰＥ、ＰＰ等のポリオレフィン、ポリエステル、ポリアミド、ポリウレタン等の熱可塑性樹脂が好ましい。なお、血管導入位置の確認のために、X線造影性材料を含有させてもよい。
【００２０】
支持体５は、シース４のキンク防止のために設けられており、ハウジング２の端部から突出された突部６と凹凸嵌合されているが、外周面の形状は、ハウジング２から細いシース４に向って外径が漸減されている。なお、支持体５の材質としては、シース４のキンク防止の観点からスチレン系、オレフィン系、ポリエステル系等の熱可塑性樹脂が好ましい。
【００２１】
ハウジング２の材質としては、射出成形可能な樹脂で、適度な堅さと柔軟性を有するものが好ましく、例えば、ポリプロピレン、ポリ塩化ビニル、ポリエチレン、ブタジエンスチレン、ＡＢＳ、ポリアミド、ポリカーボネート等が好ましい。
【００２２】
弁体７は、血液などがシース４を通りハウジング２から外部に噴出しないように設けられたものであり、図２に示すように、ハウジング２の内部片８と凹凸嵌合する支持片９との間で挟圧保持されている。弁体７には、図３に示すように、ダイレータやカテーテルなどの細い管体が挿通し得るようにスリット１０が形成されている。スリット１０は、各端面では重ならない位置で十字状に切り込まれ内部で交差するように形成されている。弁体７の材質としては、カテーテルなどが挿通した状態でも、血液の流出を防止できるように弾性を有する材料、例えば、シリコン、ラテックス、ブチルゴム、イソプレンゴム等から構成することが好ましい。
【００２３】
なお、スリット１０の形状は、十字のみに限定されるものではなく、血液が漏出しなければ、どのような形状のスリットであってもよい。また、弁体７に関しても、単に一重のもののみでなく、多段重ねにしたものであってもよい。
【００２４】
アームチューブＴは、図１に示すように、一端がハウジング２の側部より突設された接続部１１に連設され、他端に三方活栓１２が設けられている。このアームチューブＴからハウジング２の内部空間３に薬液などを加圧注入する場合には、三方活栓１２にシリンジポンプなどを連結する。
【００２５】
したがって、アームチューブＴは、内部に圧力流体が流通するので、耐圧性を有するものが好ましい。アームチューブTの材質は、柔軟性を持たせるために、シリコン、ゴム、熱可塑性エラストマー、ブチルゴム、ポリ塩化ビニル、ポリブタジエン、ポリウレタン等を使用することが好ましいが、内部に流通する圧力流体に対抗するには、肉厚内に補強体１５を設けることが好ましい。このようにすれば、薬液などを相当高圧で注入することができ、注入作業を極めて迅速に行なうことができる。
【００２６】
補強体１５としては、アームチューブＴの肉厚内に埋設したコイル状のステンレス線材１５aを使用することが好ましいが、いわゆるブレードと称される編組体を肉厚内に埋設してもよい。
【００２７】
アームチューブTの内径Ｄ１は、実験によれば、１．２ｍｍ〜６ｍｍの範囲であることが好ましいことが判明している。１．２ｍｍ以下では、多量の薬剤を短時間の間に注入することが困難となり、６ｍｍ以上ではアームチューブT自体が大きくなるため、イントロデューサシース１の挿入操作が困難となる。
【００２８】
したがって、この範囲内の内径Ｄ１を有するアームチューブTを使用すれば、イントロデューサシース１の挿入性を損なうことなくかつ治療中短時間に多量の薬液を極めて良好に注入することができる。
【００２９】
この薬液の注入は、アームチューブTが連設されるハウジング２の接続部１１の内径Ｄ２にも影響されることになる。接続部１１の内径Ｄ２も、実験によれば、０．８ｍｍ〜５ｍｍの範囲であることが判明している。０．８ｍｍ以下では、多量の薬剤を短時間の間に注入することが困難となり、５ｍｍ以上では、接続部１１自体が大きくなるため、イントロデューサシース１の挿入操作が困難になる。
【００３０】
特に、本実施形態では、ハウジング２のシース４とは反対側の他端部に、内部空間３を密塞する耐圧キャップ２０が設けられている。薬液などの加圧注入時に血液や薬液などがハウジング２の外部に漏洩しないようにするためである。
【００３１】
耐圧キャップ２０は、ハウジング２の弁体７の直近位置まで入り込む凸部２１を有し、外周部２２の内周面に雌ネジ部２２aが形成され、ハウジング２の端部に形成された雄ネジ部２aと螺合するようになっている。
【００３２】
したがって、耐圧キャップ２０は、ハウジング２に対し脱着可能となる。このように脱着可能としたのは、耐圧キャップ２０を取外した状態でカテーテルなどをシース部Ｓに挿通し、所定の治療を行うことを可能とするためである。
【００３３】
耐圧キャップ２０は、ハウジング２に対し脱着可能であれば、前記ネジ手段のみでなく、どのような手段であってもよい。例えば、図４に示すように、耐圧キャップ２０の外周部材２３の内周面に形成した凹部２３ａが、ハウジング２の端部外周面に形成された凸部２４に嵌合する凹凸嵌合であってもよい。凹凸部分の大きさとしては、押圧力の程度や成形樹脂の種類によって異なるが成形上および実用上の点を勘案すれば、０．１ｍｍ〜２．０ｍｍの範囲が好ましく、０．３ｍｍ〜０．８ｍｍの範囲がより好ましい。
【００３４】
なお、耐圧キャップ２０の材質としては、ＥＴＦＥ、ＰＴＦＥ等のフッ素系樹脂、ＰＥ、ＰＰ等のポリオレフィン、ポリエステル、ポリアミド、ポリウレタン、ポリカーボネート、ＡＢＳ樹脂等の樹脂材料を使用することが好ましい。
【００３５】
次に、本実施形態の作用を説明する。
【００３６】
イントロデューサシース１の使用に当っては、耐圧キャップ２０を取り付けていない状態のものを準備する。そして、まず、血管内に経皮的に挿入された留置針をガイドとしてミニガイドワイヤーを血管内に挿入し、留置針を抜去した後、ミニガイドワイヤーをガイドとして、シース４を血管に挿入する。ミニガイドワイヤーを取り外した後、シース４内にガイドワイヤーを挿入し、ガイドワイヤーに沿ってカテーテルを挿入する。
【００３７】
カテーテルを目的とする部位に挿入した後、カテーテルから所定の薬液などを注入し、目的とする治療を施す。また、治療中、アームチューブＴから所定の薬液など（例えば、血管造影剤あるいは器具内やカテーテルとの境界などでの血栓の発生を防止するヘパリン生理食塩水など）を注入する場合には、アームチューブＴにシリンジポンプなどを連結する。
【００３８】
そして、カテーテルを除去し、耐圧キャップ２０をハウジング２にねじ込み、取り付ける。この結果、ハウジング２の内部空間３は、耐圧キャップ２０により密閉され、ハウジング２から外部に薬液などが漏れることはない。したがって、薬液などの注入作業は、注入圧の調整など、不必要な作業を要することなく、容易にかつ迅速に注入作業を行なうことができる。特に、本実施形態のアームチューブＴは、補強材１５により補強され、耐圧性を有しているので、薬液などの注入作業は、注入圧の調整など、不必要な作業を要することなく、容易にかつ迅速に注入作業を行なうことができる。
【００３９】
また、治療が完了した後、器具内を洗浄する場合においても、耐圧キャップ２０をハウジング２にねじ込み、取り付けると、洗浄液などが漏れることはないので、速やかにかつ清潔に洗浄することができる。
【００４０】
本発明は、上述した実施形態のみに限定されるものではなく、本発明の技術的思想内において当業者により種々変更が可能である。例えば、前記実施形態では、耐圧キャップやハウジング２の形状は、円形であるが、これのみに限定されるものではなく、正多角形など、種々の形状のものを使用することができる。
【産業上の利用可能性】
【００４１】
本発明は、血管等の生体内にカテーテルを導入するイントロデューサシースとして利用できる。
【図面の簡単な説明】
【００４２】
【図１】本発明の実施形態に係るイントロデューサシースを示す概略分解断面図である。
【図２】耐圧用キャップを取り付けた状態を示す図１の要部拡大断面図である。
【図３】弁体部分を示す正面図である。
【図４】耐圧用キャップとハウジングとの他の連結手段を示す断面図である。
【符号の説明】
【００４３】
１…イントロデューサシース、
２…ハウジング、
３…内部空間、
４…シース、
１０…スリット、
１５…補強体、
２０…耐圧キャップ、
Ｄ１…アームチューブの内径、
Ｄ２…接続部の内径、
Ｓ…シース部、
Ｔ…アームチューブ。
【図１】
2007089605.tif 000003
【図２】
2007089605.tif 000004
【図３】
2007089605.tif 000005
【図４】
2007089605.tif 000006